(57)【要約】【課題】少ない部品点数でガイドシャフトのがたつきを抑制できるレンズ駆動ユニットを提供する。【解決手段】レンズ駆動ユニット１１は、ユニットベース１２と、レンズホルダ１３と、２本のガイドシャフト１４ａ、１４ｂと、２本のガイドシャフト１４ａ、１４ｂを固定する固定部材１５と、レンズホルダ１３を駆動する駆動部１６と、を備える。ユニットベース１１には、第１の面と第１の面に対して略直交する第２の面とを有し、ガイドシャフト１４ａ、１４ｂが載置される載置部が４つ設けられる。レンズ駆動ユニット１１には、４つの載置部のそれぞれにおいて第１の面と第２の面とにガイドシャフト１４ａ、１４ｂの側面を当接させ、２本のガイドシャフト１４ａ、１４ｂをまとめて固定する固定部材１５が設けられる。【選択図】図３
2009075518.tif 000002
【特許請求の範囲】
【請求項１】
ベースと、
前記ベース上を移動可能に設けられ、レンズを保持するレンズホルダと、
前記ベース上に平行配置されて、前記レンズホルダの移動をガイドする２本のガイドシャフトと、
前記レンズホルダを駆動する駆動部と、
を備えるレンズ駆動ユニットにおいて、
前記ベースには、第１の面と該第１の面に対して略直交する第２の面とを有し、前記ガイドシャフトが載置される載置部が複数設けられ、
複数の前記載置部のそれぞれにおいて前記第１の面と前記第２の面とに前記ガイドシャフトの側面を当接させ、前記２本のガイドシャフトをまとめて固定する１つの固定部材を設けたことを特徴とするレンズ駆動ユニット。
【請求項２】
前記ベースと前記固定部材とのうち、いずれか一方には係合凸部が形成され、他方には前記係合凸部と係合する係合孔が形成され、
前記係合凸部と前記係合孔とが係合することによって、前記固定部材が前記ベースに固定されることを特徴とする請求項１に記載のレンズ駆動ユニット。
【請求項３】
前記載置部には、前記ガイドシャフトが前記載置部に載置された場合に、前記ガイドシャフトの端面と当接する当接部が形成され、
前記固定部材には、複数の前記載置部のそれぞれにおいて前記ガイドシャフトの側面を前記第１の面と前記第２の面に当接させる弾性部が複数設けられることを特徴とする請求項１又は２に記載のレンズ駆動ユニット。
【請求項４】
前記固定部材には、前記ガイドシャフトの側面と当接する当接面と、前記ガイドシャフトの端面と当接する当接面と、を有する固定部が複数設けられることを特徴とする請求項１又は２に記載のレンズ駆動ユニット。
【請求項５】
前記載置部は、前記２本のガイドシャフトの両端部を載置すべく４つ設けられることを特徴とする請求項１から４のいずれかに記載のレンズ駆動ユニット。
【請求項６】
前記レンズは、コリメートレンズであることを特徴とする請求項１から５のいずれかに記載のレンズ駆動ユニット。
【請求項７】
請求項１から６のいずれかに記載のレンズ駆動ユニットを備えることを特徴とする光ピックアップ。
【発明の詳細な説明】
【技術分野】
【０００１】
本発明は、レンズの移動を可能とするレンズ駆動ユニットに関し、詳細には、レンズの移動をガイドするガイドシャフトをレンズ駆動ユニットのベースに固定する構成に関する。また、本発明は、そのようなレンズ駆動ユニットを備える光ピックアップに関する。
【背景技術】
【０００２】
従来、光学系が組み込まれる光学装置においては、レンズの移動を可能とするレンズ駆動ユニットが配置されることがある。例えば、光ディスクの情報の読み取りや書き込みを可能とする光ピックアップにおいては、球面収差の補正を行う目的で、光学系中に配置されるレンズ（例えばコリメートレンズやエキスパンダーレンズ）を可動させる構成とする場合があり、このような場合に、レンズ駆動ユニットが搭載される。
【０００３】
光ピックアップに搭載されるレンズ駆動ユニットについて、コリメートレンズを駆動する場合の従来のレンズ駆動ユニットについて説明する。図９は、コリメートレンズを駆動する従来のレンズ駆動ユニットの構成を示す概略平面図である。
【０００４】
なお、このレンズ駆動ユニットにおいては、コリメートレンズは光軸方向に移動するように構成されている。このように光軸方向にコリメートレンズの位置を移動することにより、光ディスクの記録面に光ビームを集光する対物レンズに入射する光ビームの収束発散状態が変更され、球面収差の補正を行うことが可能となる。
【０００５】
図９に示すように、従来のレンズ駆動ユニット１００は、ベース１０１と、レンズホルダ１０２と、ガイドシャフト１０３と、駆動部１０４と、を備える。ベース１０１は、各部材を搭載し、それ自身は光ピックアップのベース（図示せず）に固定される。
【０００６】
レンズホルダ１０２は、コリメートレンズ１１０を保持する。また、レンズホルダ１０２には、２本のガイドシャフト１０３が貫通するように貫通孔（図示せず）が設けられ、これにより、レンズホルダ１０２は、ガイドシャフト１０３に沿って摺動可能となっている。ガイドシャフト１０３は２本設けられ、２本のガイドシャフト１０３は、互いに平行となるようにベース１０１に固定配置される。
【０００７】
駆動部１０４は、図９に示すように、モータ１０５と、モータ１０５の出力軸に直接接続されるリードスクリュ１０６と、レンズホルダ１０２に取り付けられるリードナット１０７と、から成る。これにより、モータ１０５の回転に伴って回転するリードスクリュ１０６の回転によってリードナット１０７が搬送され、レンズホルダ１０２もガイドシャフト１０３に沿って移動する。これにより、コリメートレンズ１１０の移動が可能となる。
【０００８】
このような従来のレンズ駆動ユニット１００において、ガイドシャフト１０３のベース１０１への固定が不十分であると、レンズ駆動ユニット１００の駆動時にガイドシャフト１０３ががたつく。この場合、コリメートレンズ１１０の中心が光軸からずれ、光ピックアップの情報の読み取りや書き込み性能を悪化させる。
【０００９】
このようなことから、従来のレンズ駆動ユニット１００においては、ベース１０１のガイドシャフト１０３載置用の載置部１０８にガイドシャフト１０３を載置する場合に、次のようにガイドシャフト１０３を固定している。すなわち、４つの載置部１０８は、それぞれ、第１の面１０８ａと第１の面１０８ａに対して略直交する第２の面１０８ｂとを有する。そして、各載置部１０８において、ガイドシャフト１０３は、ビス１０９を用いて第１の面１０８ａと第２の面１０８ｂとに当接した状態で固定される。このように固定すれば、ビス１０９によってガイドシャフト１０３との固定が十分でき、駆動時にがたつくことは、ほとんどない。
【００１０】
しかしながら、このような構成とした場合には、４つの載置部１０８のそれぞれでビス止めを行う必要があるために、レンズ駆動ユニット１００の部品点数が増加する。また、ビス１０９の部品サイズはある程度大きくせざるを得ないので、ビス１０９を多く使用するとレンズ駆動ユニットの大型化に繋がる。
【００１１】
その他、ガイドシャフトのがたつきを防止して、ガイドシャフトをベースに固定する方法として、特許文献１や２に板バネを用いる方法が示されている。しかし、特許文献１や２の方法を用いる場合にも、レンズ駆動ユニットが備える２本のガイドシャフトを固定するためには、複数の板バネ（特許文献２の場合には、更に複数のビス）が必要となり、部品点数が増加する点については、上述の場合と同様である。
【特許文献１】特開平７−１６１１５２号公報
【特許文献２】実開平６−４９６７号公報
【発明の開示】
【発明が解決しようとする課題】
【００１２】
以上の問題点に鑑み、本発明の目的は、少ない部品点数でガイドシャフトのがたつきを抑制できるレンズ駆動ユニットを提供することである。また、本発明の他の目的は、レンズ駆動ユニットを備える光ピックアップにおいて、部品点数の削減及び小型化を実現できる構成を提供することである。
【課題を解決するための手段】
【００１３】
上記目的を達成するために本発明は、ベースと、前記ベース上を移動可能に設けられ、レンズを保持するレンズホルダと、前記ベース上に平行配置されて、前記レンズホルダの移動をガイドする２本のガイドシャフトと、前記レンズホルダを駆動する駆動部と、を備えるレンズ駆動ユニットにおいて、前記ベースには、第１の面と該第１の面に対して略直交する第２の面とを有し、前記ガイドシャフトが載置される載置部が複数設けられ、複数の前記載置部のそれぞれにおいて前記第１の面と前記第２の面とに前記ガイドシャフトの側面を当接させ、前記２本のガイドシャフトをまとめて固定する１つの固定部材を設けたことを特徴としている。
【００１４】
これによれば、固定部材を用いてガイドシャフトを固定する構成であるために、ガイドシャフトのがたつきを抑制できる。そして、ガイドシャフトを固定するための部品として１つの固定部材のみを準備すればよいために、従来のビスを用いた固定方法に比べて部品点数を削減できる。また、ビスを用いないで固定することが可能となるために、ユニットのサイズを小型化することが可能となる。
【００１５】
また、本発明は、上記構成のレンズ駆動ユニットにおいて、前記ベースと前記固定部材とのうち、いずれか一方には係合凸部が形成され、他方には前記係合凸部と係合する係合孔が形成され、前記係合凸部と前記係合孔とが係合することによって、前記固定部材が前記ベースに固定されるのが好ましい。
【００１６】
これによれば、固定部材のユニットベースに対する固定をビスや接着剤を用いずに行える。このために、レンズ駆動ユニットの部品点数の抑制及び小型化を図り易い。また、接着剤を用いずに固定部材をユニットベースに固定できるために、例えば環境変化による影響を受け難く、固定部材のユニットベースへの固定を確実なものとできる。
【００１７】
また、本発明は、上記構成のレンズ駆動ユニットにおいて、前記載置部には、前記ガイドシャフトが前記載置部に載置された場合に、前記ガイドシャフトの端面と当接する当接部が形成され、前記固定部材には、複数の前記載置部のそれぞれにおいて前記ガイドシャフトの側面を前記第１の面と前記第２の面に当接させる弾性部が複数設けられることとしてもよい。これによれば、２本のガイドシャフトをまとめて固定する固定部材を、プレス部品を用いて容易に形成することが可能である。
【００１８】
また、本発明は、上記構成のレンズ駆動ユニットにおいて、前記固定部材には、前記ガイドシャフトの側面と当接する当接面と、前記ガイドシャフトの端面と当接する当接面と、を有する固定部が複数設けられることとしてもよい。これによれば、２本のガイドシャフトをまとめて固定する固定部材を、樹脂成型品を用いて容易に形成することが可能である。
【００１９】
また、本発明は、上記構成のレンズ駆動ユニットにおいて、前記載置部は、前記２本のガイドシャフトの両端部を載置すべく４つ設けられることとしてもよい。
【００２０】
また、本発明は、上記構成のレンズ駆動ユニットにおいて、前記レンズは、コリメートレンズであることとしてもよい。
【００２１】
また、上記目的を達成するために本発明は、上記構成のレンズ駆動ユニットを備える光ピックアップであることを特徴としている。これによれば、光ピックアップが備えるレンズ駆動ユニットについて部品点数の削減及び小型化を図れるために、光ピックアップの部品点数の削減及び小型化を図ることが可能となる。
【発明の効果】
【００２２】
本発明によれば、少ない部品点数でガイドシャフトのがたつきを抑制できるレンズ駆動ユニットを提供できる。また、本発明によれば、レンズ駆動ユニットの部品点数の削減及び小型化を図れるために、レンズ駆動ユニットを備える光ピックアップについても、部品点数の削減及び小型化を実現できる。
【発明を実施するための最良の形態】
【００２３】
以下、本発明のレンズ駆動ユニット及びそれを備える光ピックアップの実施形態について、図面を参照しながら説明する。
【００２４】
（光ピックアップの構成）
まず、本実施形態のレンズ駆動ユニットを備える光ピックアップの構成について、図１を参照しながら説明する。なお、図１は、本実施形態の光ピックアップの光学系の構成を示す概略図である。
【００２５】
光ピックアップ１は、光ディスク（光記録媒体）１０に対してレーザ光を照射して、情報の読み取り及び書き込みを可能とする装置である。光ピックアップ１は、光ディスク１０の半径方向（図１においては、紙面と垂直な方向が該当する）と平行な方向に延び、所定の間隔で並設される２本のガイドレール（図示せず）に摺動可能に支持される。光ピックアップ１の移動は、その構成は公知であるために詳細な説明は省略するが、例えばモータ、ラック、ピニオン（いずれも図示せず）を組合せて成る駆動機構を利用して行われる。
【００２６】
なお、本実施形態の光ピックアップ１は、ブルーレイディスク（光ディスク１０）に記録される情報の読み取り、及びブルーレイディスクへの情報の書き込みを行うために使用される構成となっている。
【００２７】
光ピックアップ１の光学系には、半導体レーザ２と、回折素子３と、偏光ビームスプリッタ４と、コリメートレンズ５と、立ち上げミラー６と、１／４波長板７と、対物レンズ８と、光検出器９と、が備えられる。
【００２８】
半導体レーザ２は、波長４０５ｎｍ帯のレーザ光を出射するレーザ光源である。半導体レーザ２から出射されたレーザ光は、回折素子３に送られる。なお、半導体レーザ２から出射されるレーザ光は直線偏光である。
【００２９】
回折素子３は、半導体レーザ２から出射されたレーザ光を回折して主ビームと２つの副ビームとに分ける。このように回折素子３を用いてレーザ光を３つの光に分ける理由は、その詳細は後述する光検出器９から出力される信号を用いてサーボ用の信号を得られるようにするためである。回折素子３から出射したレーザ光は、偏光ビームスプリッタ４に送られる。
【００３０】
偏光ビームスプリッタ４は、半導体レーザ２から出射されたレーザ光について透過し、光ディスク１０で反射された後、偏光ビームスプリッタ４に送られてきたレーザ光について反射する。なお、半導体レーザ２から出射されて偏光ビームスプリッタ４に入射するレーザ光と、光ディスク１０で反射された後に偏光ビームスプリッタ４に入射するレーザ光は、いずれも直線偏光であるが、その偏光方向が９０°異なる。この偏光方向の違いは、後述の１／４波長板の作用による。半導体レーザ２から出射され、偏光ビームスプリッタ４を透過したレーザ光は、コリメートレンズ５へと送られる。
【００３１】
コリメートレンズ５は、入射するレーザ光を平行光に変換可能なレンズである。しかし、本実施形態においては、コリメートレンズ５は、その詳細については後述するレンズ駆動ユニット１１に搭載されて、光軸方向に移動可能とされている。このために、偏光ビームスプリッタ４から送られてコリメートレンズ５から出射されるレーザ光は、必ずしも平行光ではなく、発散光や収束光となって立ち上げミラー６に送られる場合がある。
【００３２】
本実施形態の光ピックアップ１が対象とするブルーレイディスクは、その規格によって通常は情報を記録する記録層が２層（図１のＬ０層とＬ１層が該当する）となっている。この場合、記録層Ｌ０と記録層Ｌ１とでは、透明樹脂で形成される保護層１０ａの厚みが異なるために、球面収差の発生が問題となる。このため、光ピックアップ１においては、コリメートレンズ５をレンズ駆動ユニット１１に搭載して光軸方向に移動可能とし、コリメートレンズ５の位置の調整によって対物レンズ８に入射するレーザ光の収束発散状態を変化させて球面収差の補正を行う構成としている。
【００３３】
なお、レンズ駆動ユニット１１は、図示しないドライバによってその駆動を制御される。ドライバは、例えば、光検出器９からの電気信号を処理して得られるジッタ信号を利用して、レンズ駆動ユニット１１の駆動制御を行う。すなわち、ドライバは、ジッタ信号が最適となる場合のコリメートレンズ位置を実測結果及びその結果を用いた演算処理によって求め、コリメートレンズ５の位置を調整するための駆動信号を生成して、レンズ駆動ユニット１１の駆動を制御する。
【００３４】
立ち上げミラー６は、コリメートレンズ５からのレーザ光を反射して、その光軸が光ディスク１０のディスク面と直交する光とする。コリメートレンズ５から送られて立ち上げミラー６で反射されたレーザ光は１／４波長板７に送られる。
【００３５】
１／４波長板７は、立ち上げミラー６から送られたレーザ光を円偏光として出射する。一方、光ディスク１０で反射された後、１／４波長板７に入射するレーザ光（円偏光）については、直線偏光として出射する。この場合に出射される直線偏光は、半導体レーザ２から出射された直線偏光の偏光方向に対して９０°回転された偏光方向を有する。１／４波長板７で円偏光とされたレーザ光は、対物レンズ８に送られる。
【００３６】
対物レンズ８は、入射したレーザ光を光ディスク１０の記録層Ｌ０（又は記録層Ｌ１）に集光する。対物レンズ８は、図示しないアクチュエータに搭載されており、フォーカス方向とトラッキング方向に移動可能となっている。これにより、光ピックアップ１におけるフォーカス制御やトラッキング制御が可能となる。また、記録層Ｌ０から記録層Ｌ１、又は記録層Ｌ１から記録層Ｌ０へと対物レンズ８のフォーカス位置を変更する、いわゆるフォーカスジャンプもこのアクチュエータの動作によって実現される。対物レンズ８を駆動するアクチュエータの構成は公知であるために、ここでは、その説明は省略する。
【００３７】
半導体レーザ２から出射され、光ディスク１０で反射されたレーザ光は、対物レンズ８、１／４波長板７を透過後、立ち上げミラー６で反射され、コリメートレンズ５を透過し、偏光ビームスプリッタ４で反射されて光検出器９の受光面に集光する。光検出器９は、入射した光情報を電気信号に変換してＲＦアンプ（図示せず）等に出力する。光検出器９から出力された電気信号は処理されて、再生信号や、フォーカスエラー信号や、トラッキングエラー信号等となる。
【００３８】
本実施形態の光ピックアップ１の構成は以上のようであるが、次に、コリメートレンズ５を搭載するレンズ駆動ユニット１１の構成について説明する。
【００３９】
（レンズ駆動ユニットの構成）
図２は、本実施形態のレンズ駆動ユニットの構成を示す概略斜視図である。図３は、本実施形態のレンズ駆動ユニットの構成を示す概略平面図である。図４は、本実施形態のレンズ駆動ユニットが備えるユニットベースの構成を示す概略斜視図である。図５は、本実施形態のレンズ駆動ユニットが備えるガイドシャフトを固定するための固定部材の構成を示す概略斜視図である。図６は、本実施形態の固定部材によるガイドシャフトの固定状態を説明するための説明図である。以下、図２から図６を参照しながら、本実施形態のレンズ駆動ユニット１１の構成を説明する。
【００４０】
本実施形態のレンズ駆動ユニット１１は、ユニットベース１２と、レンズホルダ１３と、２本のガイドシャフト１４ａ、１４ｂと、２本のガイドシャフト１４ａ、１４ｂを固定する固定部材１５と、レンズホルダ１３を駆動する駆動部１６と、付勢手段１７と、を備える。
【００４１】
ユニットベース１２は、例えば、ポリフェニレンサルファイド樹脂（ＰＰＳ）や液晶ポリマ（ＬＣＰ）等の樹脂によって形成され、レンズ駆動ユニット１１を構成する各種部材を搭載する。
【００４２】
ユニットベース１２には、２本のガイドシャフト１４ａ、１４ｂを載置する載置部２１が４箇所設けられている。この載置部２１は、ガイドシャフト１４ａ、１４ｂの両端部側を支持するように形成されている。各載置部２１には、第１の面２１ａと、第１の面２１ａに対して略直交する第２の面２１ｂ（いずれも図６参照）と、が形成されており、ガイドシャフト１４ａ、１４ｂは、その側面が第１の面２１ａ及び第２の面２１ｂに当接した状態で載置部２１に固定される。ガイドシャフト１４ａ、１４ｂを載置部２１に固定する構成については後述する。
【００４３】
また、各載置部２１には、ガイドシャフト１４ａ、１４ｂが載置部２１に搭載された状態において、ガイドシャフト１４ａ、１４ｂの両端面と当接するストッパー部２２が形成されている。ストッパー部２２は、ガイドシャフト１４ａ、１４ｂの長手方向の動きを規制する。
【００４４】
ユニットベース１２の側面部には、４つのボス２３が形成されている。なお、図４においては、ボス２３が２つのみ示されている。残りの２つのボス２３は、図４における各ボス２３が形成される面に対して載置部２１を挟んで反対側にある面であって、図４に示されるボス２３と対向する位置に形成されている。このボス２３は、後述の固定部材１５を固定するために使用される。
【００４５】
なお、ユニットベース１２は、光ピックアップ１の図示しないピックアップベースに固定される。このために、ユニットベース１２をピックアップベースにビス１８で固定できるように、ビス孔２４が形成されている。
【００４６】
レンズホルダ１３は、例えば、ＰＰＳ、ＬＣＰ等の樹脂で形成される。レンズホルダ１３には、コリメートレンズ５を保持する保持部と、後述のリードナット１６３を保持する保持部と、が形成される。また、レンズホルダ１３には、２本のガイドシャフト１４ａ、１４ｂを貫通するための貫通孔も形成されている。これにより、レンズホルダ１３は、リードナット１６３の搬送とともに２本のガイドシャフト１４ａ、１４ｂに沿って摺動し、コリメートレンズ５の移動を行うことが可能となる。
【００４７】
ガイドシャフト１４ａ、１４ｂは、例えば金属によって形成される。本実施形態においては、ガイドシャフト１４ａ、１４ｂは光軸と平行となるように配置される。このために、ガイドシャフト１４ａ、１４ｂは、レンズホルダ１３が光軸方向に移動するように、その動きをガイドする。
【００４８】
固定部材１５は、例えば、ＳＵＳ３０１、ＳＵＳ３０４等のステンレス鋼のプレス成形品から成って、１つの部材で２本のガイドシャフト１４ａ、１４ｂをまとめて固定する。固定部材１５は、対向配置される板状の２つの係合部３１と、２つの係合部３１を連結する２つの連結部３２と、各連結部３２の両端部側から突出する４つの板バネ部３３と、から成る。
【００４９】
２つの係合部３１のそれぞれには、２つの貫通孔３１ａが形成されている。この貫通孔３１ａは、ユニットベース１２に形成される各ボス２３と係合する。また、２つの連結部３２は、２つの係合部３１の端部間を連結するように構成されており、レンズホルダ１３の光軸方向への移動の妨げとならないように構成されている。
【００５０】
このように構成される固定部材１５は、図２又は図３に示されるように、ユニットベース１２に形成されるボス２３を、固定部材１５に形成される貫通孔３１ａに挿入することによってユニットベース１２に固定される。この際、各板バネ部３３は、その付勢力によって、図６に示すように、ガイドシャフト１４ａ、１４ｂを載置部２１の第１の面２１ａと第２の面２１ｂとに押圧する。このために、ガイドシャフト１４ａ、１４ｂは、載置部２１の第１の面２１ａと第２の面２１ｂとに当接された状態で固定される。
【００５１】
なお、図６では、ガイドシャフト１４ｂの場合のみ示しているが、ガイドシャフト１４ａの場合も同様である。
【００５２】
また、このようにガイドシャフト１４ａ、１４ｂを固定する場合には、ガイドシャフト１４ａ、１４ｂがその長手方向に動く可能性がある。しかし、本実施形態においては、上述のように、ユニットベース１２にガイドシャフト１４ａ、１４ｂの端面と当接するストッパー部２２を設けているために、ガイドシャフト１４ａ、１４ｂの長手方向の動きは規制され、固定状態を維持できる。
【００５３】
また、ユニットベース１２と固定部材１５を係合する構成として、ユニットベース１２にボス２３を形成し、固定部材１５に貫通孔３１ａを形成する構成としているが、この構成について、本実施形態の形状に限定されないのは言うまでもない。
【００５４】
レンズホルダ１３を駆動する駆動部１６は、モータ１６１と、リードスクリュ１６２と、リードナット１６３と、から成る。本実施形態においては、モータ１６１としてステッピングモータを用いている。これにより、コリメートレンズ５の位置の管理が行い易い。なお、モータ１６１は、ステッピングモータに限られる趣旨ではなく、例えばＤＣモータであっても勿論構わない。
【００５５】
また、モータ１６１にステッピングモータ１６１を用いてコリメートレンズ５の位置を管理する場合には、その基準位置を検知する手段が必要となるが、これについては、例えばフォトインタランプを用いる構成等とすれば良い。
【００５６】
本実施形態においては、リードスクリュ１６２は、モータ１６１の出力軸に直接接続されている。勿論、リードスクリュ１６２を、複数の歯車を介してモータ１６１に接続する構成としても構わない。リードスクリュ１６２は、後述のリードナット１６３と噛合する。リードナット１６３はレンズホルダ１３のリードナット１６３を保持する保持部に固定されている。このために、モータ１６１の回転にともなってリードスクリュ１６２が回転し、リードスクリュ１６２の回転によってリードナット１６３が搬送される。そして、上述のように、リードナット１６３の搬送にともなってレンズホルダ１３も移動する。
【００５７】
付勢手段１７は圧縮バネで構成されており、その内部をガイドシャフト１４ｂが貫通した状態となっている。この付勢手段１７は、本実施形態においてはレンズホルダ１３を図３の上方向（モータ１６１がある側）に向けて付勢するように構成されている。
【００５８】
レンズ駆動ユニット１１は以上のように構成されて、コリメートレンズ５を光軸方向に移動可能としている。本実施形態のレンズ駆動ユニット１１においては、固定部材１５によってガイドシャフト１４ａ、１４ｂを確実に固定できるために、ガイドシャフト１４ａ、１４ｂのがたつきを抑制できる。また、ガイドシャフト１４ａ、１４ｂをユニットベース１２に固定するにあたって、従来のように複数のビスを用いる構成とせず、１つの固定部材１５のみを用いる構成としている。このために、レンズ駆動ユニット１１を組み立てる際の部品点数を低減でき、それにともないコストダウンを図れる。
【００５９】
また、レンズ駆動ユニット１１を組み立てる際のビスの数を減らせるために、レンズ駆動ユニット１１の小型化を図ることが可能となる。このため、レンズ駆動ユニット１１が搭載される光ピックアップ１のサイズについても小型化を図れる。
【００６０】
（他の実施形態）
以上に示した実施形態は一例であり、本発明のレンズ駆動ユニット及び光ピックアップは、上述の実施形態に限定されるものではなく、本発明の目的を逸脱しない範囲で種々の変更が可能である。
【００６１】
例えば、レンズホルダ５の移動方向をガイドするガイドシャフト１４ａ、１４ｂを固定する固定部材１５の構成について、本実施形態の構成に限定されない。すなわち、２本のガイドシャフト１４ａ、１４ｂを１つの固定部材でまとめて、載置部２１の第１の面２１ａと第２の面２１ｂとに当接した状態で固定できれば、他の構成であっても構わない。このような構成を有する他の実施形態について、図７及び図８を参照しながら説明する。
【００６２】
なお、図７は、レンズ駆動ユニット１１が備える別実施形態の固定部材４１の構成を示す概略斜視図である。また、図８は、別実施形態の固定部材４１によるガイドシャフト１４ａ、１４ｂの固定状態を説明するための説明図である。
【００６３】
別実施形態の固定部材４１は、例えば樹脂によって一体的に形成される。別実施形態の固定部材４１は、４つのガイドシャフト固定部４２と、４つのガイドシャフト固定部４２を連結する連結部４３と、第１突起部４４と、第２突起部４５と、から成る。
【００６４】
各ガイドシャフト固定部４２は、断面視略Ｌ字状に形成されて、その内面側にガイドシャフト１４ａ、１４ｂの側面と当接する当接面４６（図８参照）を有する第１当接部４２ａと、平板状に形成されて、その内面がガイドシャフト１４ａ、１４ｂの端面と当接する第２当接部４２ｂと、を有する。
【００６５】
連結部４３は、略コの字状の部分を２つ有し、２つのコの字状の部分が１つの棒状部分によって接続された状態となっている。そして、略コの字状に形成される部分の先端にガイドシャフト固定部４２の第１当接部４２ａに接続される。
【００６６】
第１突起部４４は、図７に示すように各ガイドシャフト固定部４２の第１当接部４２ａの側面から外部に向けて突出するように形成されている（すなわち、第１突起部４４は４つある）。また、第２突起部４５は、図７に示すように、各ガイドシャフト固定部４２の第１当接部４２ｂの底面から下方に向けて突出するように形成されている（すなわち、第２突起部４５は４つある）。
【００６７】
このように形成される別実施形態の固定部材４１は、第２突起部４５（上述のように４つある）を載置部２１の第１の面２１ａから下方に向かって形成される係合孔１２１ａ（図８参照、図８は１つガイドシャフト固定部４２のみを示しているが、他も同様である）に挿入し、第１突起部４４（上述のように４つある）を載置部２１の第２の面２１ｂに形成される係合孔１２１ｂ（図８参照）に挿入することによって、ユニットベース１２に固定される。
【００６８】
そして、この際、第１当接部４２ａの当接面４６がガイドシャフト１４ａ、１４ｂの側面と当接し、ガイドシャフト１４ａ、１４ｂを載置部２１の第１の面２１ａと第２の面２１ｂとに押圧する（図８参照）。これにより、ガイドシャフト１４ａ、１４ｂは、載置部２１の第１の面２１ａと第２の面２１ｂとに当接した状態で固定される。
【００６９】
また、この際、板状の第２当接部４２ｂがガイドシャフト１４ａ、１４ｂの端面と当接する。このため、ガイドシャフト１４ａ、１４ｂが、その長手方向に動くこともない。なお、この構成の場合には、先に示した実施形態のように、ユニットベース１２にストッパー部２２を形成する必要はない。また、例えばガイドシャフト固定部４２の第２当接部４２ｂの底面に突起部を設け、更にこの突起部と係合する係合孔を載置部２１の第１の面２１ａに形成し、これによって第２当接部４２ｂと載置部２１とが係合する構成としても構わない。
【００７０】
また、ここでは固定部材４１のガイドシャフト固定部４２に、第２当接部４２ｂを設けることによって、ガイドシャフト１４ａ、１４ｂの長手方向の動きを規制する構成とした。しかし、ガイドシャフト固定部４２に第２当接部４２ｂを設けずに、上述の本実施形態のようにユニットベース１２側にストッパー部２２を設ける構成としても勿論構わない。
【００７１】
また、以上に示した実施形態では、固定部材１５、４１とユニットベース１２のうちのいずれか一方に係合凸部（ボス２３、第１突起部４４、第２突起部４５が該当）を設け、他方に係合孔（貫通孔３１ａ、係合孔１２１ａ、１２１ｂ）を設け、これを利用して固定部材１５、４１をユニットベース１２に固定する構成とした。しかし、この構成に限定される趣旨ではない。すなわち、固定部材の固定を、接着剤を用いて行ってもよい。ただし、接着剤は、環境の変化によって膨張等を起こす可能性があり、安定した固定を行えない場合があるため、以上に示した実施形態のように固定部材をユニットベースに固定するのが好ましい。
【００７２】
また、以上に示した実施形態では、レンズホルダ１３、ガイドシャフト１４ａ、１４ｂ固定部材１５（４１）、駆動部１６、をユニットベース１１上に搭載し、これを光ピックアップ１のピックアップベースに固定する構成を示した。ただし、これらの部材をユニットベース１２ではなく、直接ピックアップベースに搭載する構成としても構わない。本発明のレンズ駆動ユニットには、このような態様も含まれる。
【００７３】
また、以上に示した実施形態では、光ピックアップはブルーレイディスク用であるとした。しかし、球面収差の補正を行うために、コリメートレンズを移動する構成が適用される光ピックアップに対して本発明は広く適用され、光ピックアップによる情報の読み取りや書き込みを行う対象がブルーレイディスクの場合に限られないのは当然である。
【００７４】
また、以上においては、コリメートレンズを光軸方向に移動するレンズ駆動ユニットを一例として示した。しかし、これに限らず、他のレンズをガイドシャフトに沿って摺動させるレンズ駆動ユニットに対しても、当然、本発明は適用できる。例えば、球面収差の補正を行うために使用されるエキスパンダーレンズを駆動するために用いられるレンズ駆動ユニットに対しても、本発明は適用可能である。更に、本発明のレンズ駆動ユニットは、光ピックアップ以外の光学装置に搭載されるレンズ駆動ユニットであってもよい。
【産業上の利用可能性】
【００７５】
本発明のレンズ駆動ユニットによれば、レンズホルダの移動をガイドするガイドシャフトの固定を１つの部品によって行うことが可能となる。このために、レンズ駆動ユニットの部品点数を削減できる。このために、コストダウン、装置の小型化を図れるために有用である。
【図面の簡単な説明】
【００７６】
【図１】は、本実施形態の光ピックアップの光学系の構成を示す概略図である。
【図２】は、本実施形態のレンズ駆動ユニットの構成を示す概略斜視図である。
【図３】は、本実施形態のレンズ駆動ユニットの構成を示す概略平面図である。
【図４】は、本実施形態のレンズ駆動ユニットが備えるユニットベースの構成を示す概略斜視図である。
【図５】は、本実施形態のレンズ駆動ユニットが備えるガイドシャフトを固定するための固定部材の構成を示す概略斜視図である。
【図６】は、本実施形態の固定部材によるガイドシャフトの固定状態を説明するための説明図である。
【図７】は、レンズ駆動ユニットが備える別実施形態の固定部材の構成を示す概略斜視図である。
【図８】は、別実施形態の固定部材によるガイドシャフトの固定状態を説明するための説明図である。
【図９】は、コリメートレンズを駆動する従来のレンズ駆動ユニットの構成を示す概略平面図である。
【符号の説明】
【００７７】
１              光ピックアップ
５              コリメートレンズ
１１            レンズ駆動ユニット
１２            ユニットベース
１３            レンズホルダ
１４ａ、１４ｂ  ガイドシャフト
１５、４１      固定部材
１６            駆動部
２１            載置部
２１ａ          第１の面
２１ｂ          第２の面
２２            ストッパー部（当接部）
２３            ボス（係合凸部）
３１ａ          貫通孔（係合孔）
３３            板バネ部（弾性部）
４２            ガイドシャフト固定部
【図１】
2009075518.tif 000003
【図２】
2009075518.tif 000004
【図４】
2009075518.tif 000005
【図５】
2009075518.tif 000006
【図６】
2009075518.tif 000007
【図７】
2009075518.tif 000008
【図８】
2009075518.tif 000009
【図３】
2009075518.tif 000010
【図９】
2009075518.tif 000011